(57)【要約】      （修正有）【課題】ひも靴、靴ひも自身に特段の細工を行なわず、靴ひもが緩んだりほどけたりしない、簡便に使用でき、靴本体に固定することのできる靴ひも留め具を安価に提供する。【解決手段】ひも靴に装着した靴ひもを用いて靴に取り付け靴ひもの緩みを防止する靴ひも留め具であって、靴ひもを挟み留める一対の爪部３１と、それを保持して靴に固定する支柱部３２とを一体で形成し、一対の爪部の内側両側端部の少なくとも一つの側端部には、靴ひもの先端部を留める歯部３３を有するとともに一対の爪部の中央には、爪部の先端部から支柱部まで連通させた靴ひも通路３４を設けたこと、を特徴とする。【選択図】図２
0003221404.tif 000002
【実用新案登録請求の範囲】
【請求項１】
ひも靴に装着した靴ひもを用いて靴に取り付け靴ひもの緩みを防止する靴ひも留め具であって、
前記靴ひもを挟み留める爪部と、それを保持して靴に固定する支柱部とからなり、
前記爪部の内側両側端部の少なくとも一つの側端部には、靴ひもの先端部を留める歯部を有し、
前記爪部の中央部には、爪部の先端部から支柱部まで連通させた靴ひも通路を設けたこと、
を特徴とする靴ひも留め具。
【考案の詳細な説明】
【技術分野】
【０００１】
本考案は、ひも靴に装着された靴ひもを用いて靴に取り付けし、靴ひもの緩み防止を行なうとともに、結ばれた靴ひもの先端部を留めることによって、靴ひもの緩みやほどきを防止するようにしたものである。
【背景技術】
【０００２】
従来、ひも靴に装着された靴ひもの緩み防止には、特許文献１のひも靴に緩み止め防止機構を組み込んだもの、特許文献２、非特許文献１のマジックテープ（登録商標）などの面ファスナー機能を使用したもの、特許文献３、特許文献４、特許文献５、非特許文献２の蝶々結びした靴ひもに留め具を取り付け靴ひもの緩み防止を行なうもの等が数多く提案され、市販されている。しかしながら、ひも靴あるいは靴ひもに細工を施して靴ひもの緩み止めを行うと価格が割高となる。また、従来の留め具タイプの製品は靴とは一体化しておらず、ひもを留める際に手間がかかり、また紛失しやすいなどの問題があった。
【先行技術文献】
【特許文献】
【０００３】
【特許文献１】特開２００７−３３０８０８号公報
【特許文献２】特開２０１０−２８４１９４号公報
【特許文献３】実案登録第３１７６５７８号公報
【特許文献４】特開平１１−２７６２１０号公報
【特許文献５】特開２００５−２１８８１３号公報
【非特許文献】
【０００４】
【非特許文献１】「靴ひもほどけん」  https://store.shopping.yahoo.co.jp/good-s-plus/a1200.html
【非特許文献２】「クイックシューレース」 https://quick-shoe.com/
【考案の概要】
【考案が解決しようとする課題】
【０００５】
ひも靴、靴ひも自身に特段の細工を行なわず、靴ひもが緩んだりほどけたりしない、かつ、簡便に使用でき、靴本体に固定することのできる靴ひも留め具を安価に提供することを課題とする。
【課題を解決するための手段】
【０００６】
本考案は、ひも靴に装着した靴ひもを用いて靴に取り付け靴ひもの緩みを防止する靴ひも留め具であって、前記靴ひもを挟み留める爪部と、それを保持して靴に固定する支柱部とからなり、前記爪部の内側両側端部少なくとも一つの側端部には、靴ひもの先端部を留める歯部を有し、前記爪部の中央部には、爪部の先端部から支柱部まで連通させた靴ひも通路を設けたこと、を特徴とする靴ひも留め具である。
【考案の効果】
【０００７】
本考案の効果の第一は、本考案の靴ひも留め具が、靴ひも留め具内部に設けた靴ひも導入孔、靴ひも通路ならびに靴ひも取出孔で形成する通路に靴ひもを導通させて、靴に設けられているひも通し孔（１番目孔）とひも通し孔（２番目孔）の間に靴ひもによって装着する構造であるため、靴ひもを締める力を利用して靴ひも留め具を靴本体に密着固定することができる。
【０００８】
靴ひも末端を靴ひも留め具に留める歯部を設け、靴ひもの結び目をそのまま残しつつ、結んだ靴ひもの先端部だけを歯部に留める構造によって、ひも結び目の美しさを損なうことなく、靴ひもの先端部の動きによる靴ひもの緩みの発生を防止することができる。
【０００９】
靴ひもを靴ひも留め具内部に設けた靴ひも導入孔、靴ひも通路ならびに靴ひも取出孔で形成する通路に靴ひもを通す構造により留め具自体が靴に密着固定されるため、靴ひも留め具を装着して動き回っても靴ひも留め具の脱落することがない。
【００１０】
靴ひも留め具は、爪部と支柱部をプラスチック等によって一体形成することが可能で安価に製造することが可能である
【００１１】
靴ひも留め具は、靴ひもの種類に合わせて適宜靴ひも留め具の各部寸法を変更して製造することで、丸ひも、平ひもなど多種の形状に対応可能である。
【００１２】
多種のひも形状に対応することができることによって、ビジネスシューズ、スポーツシューズ、幼児用靴、馬術用靴など、あらゆるひも靴に対応できる。
【図面の簡単な説明】
【００１３】
【図１】本考案の対象となるひも靴を示す図である。
【図２】本考案の靴ひも留め具の構造一実施例を示す図である。
【図３】本考案の靴ひも留め具のひも靴への取付手順のａ〜ｄの実施例を示す図である。
【図４】本考案の靴ひも留め具のひも靴への取付手順のｅ〜ｇの実施例を示す図である。ｈは実施例における靴ひも留め具３の長手方向の断面図である。
【考案を実施するための形態】
【実施例】
【００１４】
本考案の対象となるひも靴１ならびに靴ひも留め具の構造について図１、図２を基に説明する。
図１は、一般的なスポーツシューズであるひも靴１の構成を示したものであり、ひも靴１に配設されたひも通し孔１３（以下、２番目孔１３と称す。）まで靴ひも２を通し、２番目孔とひも通し孔１２（以下、１番目孔１２と称す。）との間に、後述する靴ひも留め具３を取り付ける直前の状態を示したものである。
【００１５】
図２は、２番目孔から取り出した靴ひも２を１番目孔に挿入する前に取り付ける靴ひも留め具３の構造を示したものである。
靴ひも留め具３は、蝶々結びした靴ひも２の末端を挟み留めるための一対の爪部３１、３１と、一対の爪部３１、３１を保持する支柱部３２とを一体で形成し、一対の爪部３１、３１の内側両側端部の少なくとも一つの側端部には、蝶々結びした靴ひも２の先端部を保持する歯部３３を有し、一対の爪部３１、３１の中央部には、爪部先端部から支柱部３２まで連通させた靴ひも通路３４を設け、かつ下方から靴ひも２を取り込み、靴ひも通路３４につながる靴ひも導入孔３６と、靴ひも通路３４から靴ひもを取り出す靴ひも取出孔３５を配設した構造である。
ここで、本図では内側両側端部を２山で構成した例を示したが、１山あるいは３山以上であっても良い。
図２の本考案の靴ひも留め具３は、縦２０ｍｍ×横８ｍｍ×高さ６ｍｍの寸法の実施例であるが、靴ひも２の径の大きさ、形状などによって適宜変更することができる。
【００１６】
次に、ひも靴１への靴ひも留め具３を取り付ける手順について、図３、図４を基に説明する。
以降の説明では、靴を履く人から見て右側をＲ、左側をＬのように、符号の末尾にＲ、Ｌを付記する。
図３ａ）は、ひも靴を履く途中の状態を表したもので、ひも靴１に設けられた２番目孔１３まで靴ひも２を通し、１番目孔１２に靴ひも２を通す直前の状態である。
図３ｂ）では、２番目孔１３を通した靴ひも２を、図２に示した靴ひも留め具３Ｌの靴ひも導入孔３６から靴ひも通路３４を経由して靴ひも取出孔３５に通し、引き出す。
図３ｃ）では、図３ｂ）で靴ひも取出孔３５に通し、引き出された靴ひも２を、さらに、１番目孔１２に通し、引き出す。
図３ｄ）では、２番目孔１３、１番目孔１２と通して引き出された靴ひも２を、ひも靴１に対して靴ひも留め具３Ｌが密着する状態となるまで引き出す。
【００１７】
つぎに、図４ｅ）では、図３ｄ）と同様のことを靴ひも留め具３Ｒについても行う。これにより、左、右と両方の靴ひも留め具３をひも靴１に装着できる。
図４ｆ）では、靴ひも留め具３Ｌ、靴ひも留め具３Ｒを通し、左右の一番目孔１２のひも靴１の内側から引き出された靴ひも２を蝶々結びする。
図４ｇ）では、蝶々結びした後の靴ひも２の左右の先端部を靴ひも留め具３の歯部３３に留める。
以上の手順でひも靴１への靴ひも留め具３の取付と靴ひも２の緩み止めは完了する。
その際の緩み止め力の発生メカニズムについて、図４ｈ）にて説明する。
【００１８】
図４ｈ）は、靴ひも留め具３の取付と靴ひも２の緩み止めが完了したときの靴ひも留め具３、ひも靴１、靴ひも２を、靴ひも留め具３の長手方向の断面を示したものである。図に○で示した靴ひも留め具３の靴ひも通路３４から靴ひも取出孔３５に至る角部分での靴ひも２との屈曲部Ａ、ひも留め具３の靴ひも導入孔３６から靴ひも通路３４に至る角部分での靴ひも２との屈曲部Ｂの位置において、靴ひも２を屈曲させることで靴ひも２の抜ける方向の力を抑制することができる。
【００１９】
本考案について、スポーツシューズを実施例に説明したが、本考案は靴ひもを使用するひも靴であればビジネスシューズ、幼児用靴、馬術用靴などにも利用可能であり、靴ひも留め具をプラスチック材とすることで着色を自由に調整できるため、意匠的にも幅広く利用できる。
【産業上の利用可能性】
【００２０】
スポーツシューズ、ビジネスシューズ、幼児用靴、馬術用靴などを問わず、靴ひもを使用するひも靴であれば、幅広い分野で利用できる。
【符号の説明】
【００２１】
１‥‥ひも靴
１２‥‥ひも通し孔１２（１番目孔１２）
１３‥‥ひも通し孔１３（２番目孔１３）
１４‥‥タン
２‥‥靴ひも
３‥‥靴ひも留め具
３Ｒ‥‥靴ひも留め具Ｒ（右側）
３Ｌ‥‥靴ひも留め具Ｌ（左側）
３１‥‥爪部
３２‥‥支柱部
３３‥‥歯部
３４‥‥靴ひも通路
３５‥‥靴ひも取出孔
３６‥‥靴ひも導入孔
【図１】
0003221404.tif 000003
【図２】
0003221404.tif 000004
【図３】
0003221404.tif 000005
【図４】
0003221404.tif 000006